(57)【要約】      （修正有）【課題】ショルダーベルトが一連動作で自力収納され、このショルダーベルトの形態によって、ゴルフバッグのデザインを形良くし、前ポケットの開閉を邪魔することなく円滑なゴルフボール等の出し入れを可能とする。【解決手段】ショルダーテープ６の上端及び下端を支持すると共に、前ポケット１３の内部にショルダーテープ６を自力収納する取替え可能な伸縮材１８を前記ショルダーテープ６の折り返し最下端に連結し、前記ショルダーテープ６を外部から前ポケット１３へ案内する貫通孔２１と、前記ショルダーテープ６を所定の引き出し位置で係止可能なショルダースライド止め具８及びショルダーストッパー１６とを備える。ショルダーベルトを使用しないときは、前記ショルダーテープ６は伸縮材１８で前ポケット１３の内部に引っ張られ余分には露出しない。【選択図】図２
0003104775.tif 000002
【実用新案登録請求の範囲】
【請求項１】
ショルダーテープ（６）を備えたゴルフバッグに於いて、ショルダーテープ（６）の最下点を支持しつつこのショルダーテープ（６）をポケット（１３）の内部に自力収納する伸縮材（１８）を設けたことを特徴とするゴルフバッグ。
【請求項２】
前記伸縮材（１８）はゴルフバッグ本体（１１）に備えられたポケット（１３）の内部に垂直方向又は水平方向に設けられたことを特徴とする請求項１に記載のゴルフバッグ。
【請求項３】
前記ショルダーテープ（６）のショルダーテープ下端（２３）は、ゴルフバッグ本体（１１）に係止され、ショルダーテープの最下点は少なくともショルダーテープ・伸縮材接合ジョイント（１７）及び伸縮材（１８）及び伸縮材・本体接合ジョイント（１９）を介してゴルフバッグ本体（１１）に自在に支持されたことを特徴とする請求項１または請求項２に記載のゴルフバッグ。
【請求項４】
前記ショルダーテープ（６）のショルダーテープ下端（２３）は、少なくともショルダーテープ・伸縮材接合ジョイント（１７）及び伸縮材（１８）及び伸縮材・本体接合ジョイント（１９）を介してゴルフバッグ本体（１１）に係止されていることを特徴とする請求項１または請求項２または請求項３に記載のゴルフバッグ。
【請求項５】
前記伸縮材（１８）の両端部はゴルフバッグ本体（１１）に係止され伸縮材（１８）中央部近傍においてショルダーテープ・伸縮材接合ジョイント（１７）を介してショルダーテープ（６）を支持することを特徴とする請求項１または請求項２または請求項３または請求項４に記載のゴルフバッグ。
【請求項６】
前記ショルダーテープ（６）を所定の引き出し位置で係止可能なショルダースライド止め具（８）及びショルダーストッパー（１６）が、それぞれゴルフバッグ本体（１１）及びショルダーテープ（６）に設けられたことを特徴とする請求項１または請求項２または請求項３または請求項４または請求項５に記載のゴルフバッグ。
【請求項７】
前記ポケット（１３）はショルダーテープ（６）を外部よりポケット（１３）内へ案内する貫通孔（２１）を備えたことを特徴とする請求項１または請求項２または請求項３または請求項４または請求項５または請求項６に記載のゴルフバッグ。
【請求項８】
前記ポケット（１３）の内部に、ポケット（１３）内部を仕切るセパレート材（２０）が少なくとも開閉または取り外し自在に設けられたことを特徴とする請求項１または請求項２または請求項３または請求項４または請求項５または請求項６または請求項７に記載のゴルフバッグ。
【請求項９】
前記ショルダーテープ（６）は、中途に滑り止め素材（２４）を備えたショルダーパッド（７）を摺動自在に設けたことを特徴とする請求項１または請求項２または請求項３または請求項４または請求項５または請求項６または請求項７または請求項８に記載のゴルフバッグ。
【考案の詳細な説明】
【技術分野】
【０００１】
本考案は、ゴルフバッグに備えられたショルダーベルトの改良に関するものである。
【０００２】
特に本考案は、ゴルフバッグのゴルフクラブ、ゴルフボール、ゴルフシューズ、ゴルフグローブ等を持ち運ぶ「運搬」機能と、これらを取り出し又は収納する「収納」機能とがそれぞれに異なり、相互同時にはその機能が要求されないこと、或いは衝突する要求があることに着目したものである。
ゴルフバッグを持ち運び移動する場合には、ショルダーベルトとして必要十分な強度及び長さを確保できることを前提に、ゴルフバッグを直立させた状態でゴルフボール、グローブ、ティー等を出し入れする際には不必要なショルダーベルトをすっきりと簡易に収納できるようにするもので、伸縮材を設けたゴルフバッグに関するものである。
【背景技術】
【０００３】
従来のゴルフバッグは、一般に、ゴルグクラブを収納する上方開口状のゴルフバッグ本体と、その前面下部に設けられたゴルフボール等を収納する前ポケットと、ゴルフバッグ本体の前面であってポケットよりも上方に上下端部が連結された上下方向のショルダーベルトとを、最小限備えているのが通常である。
【０００４】
しかし、上述のような従来のゴルフバッグでは、ショルダーベルトを肩に掛けてゴルフバッグを楽に持ち運びできるように、該ショルダーベルトの長さにある程度余裕をもたせているため、ゴルフバッグを直立させた状態で使用する場合、下方に弛んだショルダーベルトがポケットの上にかかってしまうことがあった。
【０００５】
このことは、前ポケットにゴルフボール、グローブ、ティー等を出し入れする際に、ショルダーベルトが邪魔になり、出し入れに時間がかかるという点で問題があった。
また、ショルダーベルトが下方に弛んだ状態で、かつ常に表に出たままとなっているため、すっきりしないデザインになってしまうという違和感もあった。
ゴルファーの動作に邪魔にならず、少しでもショルダーベルトを煩わしく感ぜずに、集中  できるショルダーベルトであることが好ましい。
【０００６】
この改善策として、前ポケット内部にオートプリテンショナを備え付ける方法がある。
しかしながらこの方法では、ゴルフバッグの全重量が重くなりすぎてしまい、肩に担いで容易に持ち運ぶことを前提にされているゴルフバッグの機能を逆に大きく阻害してしまい、その有益性を勘案しても、満足できるものではなかった。
反対に、ショルダーベルトの一部を折り返し状にしてゴルフバッグ本体に手動で差し込み収納させる方法も見受けられる。
さらには、ゴルフバッグ前面に設けられた空洞部に手動でショルダーベルトを収納させる方法もある。
しかしながらこれらの方法は、いわゆる人力であり、煩わしさの有無という点では全く進歩はないといえる。
目的達成の一定の効果は認められるもののいずれの考察においても、簡易、軽量化、と自動収納等のバランスが図られておらず、一面の効果のみ過度に注目し、偏りのある発想のものばかりであった。
ショルダーベルトの収納等の分野において上記問題点を解決しうるプラス効果を最大限にしながらも、両目的のため、最良な手段の考察は注目されてこなかった。
これは自動収納装置の技術的考察ばかりに注目してきたことが大きな原因であり、むしろゴルフバッグに取り付ける上でという点を考慮に入れたうえで、最適なものを見出すことは盲点として見逃されてきた。
【特許文献１】特開平８−８９６０７号公報
【特許文献２】特開２００１−２０４８６６公報
【特許文献３】実用新案登録３００６５４０号公報
【考案の開示】
【考案が解決しようとする課題】
【０００７】
本考案が解決しようとする課題は、ショルダーベルトが下方に弛んで前ポケットを覆う点である。この点従来の技術に於いても考察の対象とされており、近時ゴルフバッグの機能に於いてポケットの使用が非常に重要不可欠な要素となってきている背景からも、いくつかの解決方法が示されている。
ただここで重要な点は、ゴルフバッグの携帯性から軽量化に大きく反するものではなくそして、使用者がそれを意識する必要のない簡易な機構で達成されるべきであり、そのことが強く求められていることである。
確かに収納部を設けて手動にて収納することにより上記問題は一応解決されたとも考えられる。
しかしゴルフは非常にメンタリティの要素が大きいスポーツ、娯楽であり、このような手動収納装置では、上記問題点を解決することで得られるよさをむしろ否定するものであるといえる。
また収納する目的ばかりを追求するあまり、その装置が非常にゴルフバッグの軽快性を損なってしまうこともやはり大きな問題である。現在の高度な技術水準からは「絶対的」意味では操作を自動化ができないことはないともいえるかもしれないが大切なことは、個別具体的な製品ごとに「相対的」にあったものを選択するというバランスであり、このバランスを大きく崩す装置はむしろ全体としてその機能を落とすものといえる。
更に二次的にはコストとのバランスも商品である以上重要であることはいうまでもないことである。
これらの問題点は考察及び繰り返し行われた実験、検討に基づいて判明したものである。具体的にはゴルフバッグに最も適した、軽量であり、コストを抑えることができるショルダーベルト収納機構の必要性が高いものといえる。
以上本考案は上記の従来例の課題に鑑みて考案されたものである。
【課題を解決するための手段】
【０００８】
上記課題を解決するために本考案は、ショルダーベルトが下方に弛んで前ポケットを覆わなくするため、ショルダーベルトが自力収納されることを最も主要な特徴とする。
【０００９】
ここに本考案は、
ショルダーベルトを構成してその一部である布製や合成繊維製等のショルダーテープ（６）を備えたゴルフバッグに於いて、ショルダーテープ（６）の最下点を支持しつつこのショルダーテープ（６）を自力収納する伸縮材（１８）を設けたことを特徴とするものである。
【００１０】
前記伸縮材（１８）は、ポケット（１３）の取り付けが通常ショルダーテープ（６）の下に設けられることが多いことから、ゴルフバッグ本体（１１）に設けられたポケット（１３）の背面の内部に取り付けられるのが好ましい。
こうすることで外観上もこれまでのゴルフバッグと違和感なく伸縮材を取り付けることが可能になる。しかしショルダーテープ（６）側ポケット（１３）はゴルフボール等頻繁に出し入れされるものが収納されていることが多く、特によく利用されるポケット（１３）であることから、
Aその容量はできうるかぎり確保しなければならない。
B同時に伸縮材がポケット内部に露出していると収納の邪魔になり、伸縮の運動を阻害して事故の原因にもなるため、伸縮材はポケット内部でセパレートされる必要がある。
C更に伸縮材のメンテナンスも容易にできるものでなければならない。
なぜならば、伸縮等可動部は通常他の部位に比較して消耗が激しくメンテナンスする必要性が大きいためである。
このためポケット（１３）内部にはポケット内部・伸縮システム部セパレート材（２０）を設けることが好ましい。セパレートにすることでポケット（１３）の機能や収納スペースを阻害しないようにすることとともに、更に開閉可能にすることで、伸縮材（１８）の交換等も非常に容易に行えるようにしたものである。
【００１１】
ポケット内部・伸縮システム部セパレート材（２０）はファスナー（２０−３）、面ファスナー（２０−５）、ボタン、止めかけ、等によりノンセパレートにすることができる。
ポケット内部・伸縮システム部セパレート材（２０）はポケット内部・伸縮システム部生地式セパレート材（２０−１）又はポケット内部・伸縮システム部樹脂金属式セパレート材（２０−２）の少なくともいずれか一方が用いられることが好ましい。
ポケット内部・伸縮システム部生地式セパレート材（２０−１）は、ゴルフバッグのポケットを構成する生地を材質にすることが経済的に好ましいが、商品の値段設定等によってその材質を変えることもでき他の生地を使用することもできる。
伸縮材（１８）を柔らかく、その弾性を利用して包み込むことができるような生地類似のものであれば構わない。
またポケット内部・伸縮システム部樹脂金属式セパレート材（２０−２）は主に樹脂、金属を材質にするものであるが、一定の形を保持することで、伸縮材（１８）を硬くしっかりと囲むことができるような樹脂、金属類似の硬質のものであれば構わない。
【００１２】
ポケット（１３）容量の確保は伸縮材（１８）の構成によるところが大きく、できうる限り小スペースであることと、伸縮作用を確保することとのバランスを考えると、伸縮材縦取付型と伸縮材横取付型とが好ましい。
【００１３】
前記伸縮材（１８）を取り付け方とその性質に分けて詳しく見てみる。
まず伸縮材（１８）の伸縮材縦取付型は、その上端部においてショルダーテープ・伸縮材接合ジョイント（１７）を介してショルダーテープ（６）の最下点を支持し、伸縮材（１８）の下端部は伸縮材・本体接合ジョイント（１９）を介してゴルフバッグ本体（１１）に取り付けられている。
伸縮材縦取付型〔図１９等参照〕は伸縮材横取付型〔図１３等参照〕と比して非常にシンプルでありポケット内部の容積を非常に小さくコンパクトにすることができる。
【００１４】
次に伸縮材（１８）の伸縮材横取付型は、その両端部においてゴルフバッグ本体（１１）に固定され伸縮材（１８）央部近傍においてショルダーテープ・伸縮材接合ジョイント（１７）を介してショルダーテープ（６）を支持するものである。
これは伸縮材（１８）の伸びが伸縮材縦取付型よりも長くとれることから非常に強力な伸縮作用を容易に得ることが可能になる。
実験の結果からいずれにおいてもゴルフバッグとして必要十分なコンパクト性、伸縮容量を備えているが、伸縮材（１８）の性質によって、これらの選択は変更しうる。
【００１５】
伸縮材（１８）の性質はゴム弾性とバネ弾性とが主に考えられる。
通常ゴム弾性は伸縮材横取付型に適しており、バネ弾性は伸縮材縦取付型に適している。しかし度重なる考察と実験からショルダーテープ（６）の支持方法に本考案における工夫を加えることによって、ゴム弾性でありながら伸縮材縦取付型に本考案における工夫なくバネ弾性をつける場合を超える作用を得ることができる。バネ弾性よりもゴム弾性を使用するおおきなメリットは、ゴム弾性は加工がしやすく、コストも低く抑えることができ、非常にコンパクトであり耐久性が高いことがあげられる。
【００１６】
ここで、ショルダーテープ（６）と伸縮材（１８）との連結方法について詳しく見てみる。
まずショルダーテープ（６）の下端にショルダーテープ・伸縮材接合ジョイント（１７）を介して伸縮材（１８）を直接係止するものである。
この場合、最下点とは、ショルダーテープ下端（２３）を指すことになり、両者に差はない。
このようにショルダーテープ（６）をショルダーテープ・伸縮材接合ジョイント（１７）を介して伸縮材（１８）に係止することで伸縮材（１８）が前ポケット内部にて伸縮しゴルフバッグの移動時ショルダーテープ（６）を肩などにかつぎあげる動作により、それが伸び未使用時にはその縮む作用を利用して収納することができる。
【００１７】
次にゴルフバッグ本体（１１）にそのショルダーテープ下端（２３）は係止されて、ショルダーテープ（６）の長さがショルダーテープの上端とショルダーテープ下端（２３）を結ぶ距離よりも長いため生じる折り返し点及びショルダーテープ（６）の重なりを利用してその折り返し点にあたる最下点にショルダーテープ・伸縮材接合ジョイント（１７）を設けそれを介して伸縮材（１８）に自在に支持することができる。
ショルダーテープ（６）の折り返し点にあたる最下点を連結点とすることの着想は、本考案のひとつの特徴である。
こうすることでポケット（１３）に収納され得るショルダーテープ（６）の長さを伸縮材（１８）に直接係止する場合と比較して１，５倍位にでき、必要ならば２倍にすることも可能となるのである。
折り返しは一巡に限られず、折り返し点を複数設けることでショルダーテープ（６）を複数重ね合わせることもできる。
【００１８】
前記ショルダーテープ（６）は伸縮材（１８）に取り付けられるため、そのままでは伸縮材（１８）の限界を超えて伸びきってしまうことにもなりかねない。
これでは、伸縮材（１８）の耐久性を著しく阻害し、危険であり、また伸縮材（１８）がポケット（１３）からはみ出してしまうため見栄えも悪い。
そのため所定の引き出し位置で係止可能なショルダースライド止め具（８）及びショルダーストッパー（１６）が、それぞれゴルフバッグ本体（１１）及びショルダーテープ（６）に取り付けられる。
ショルダースライド止め具（８）はショルダーテープ（６）の形状に合わせてスリット状になっておりその間にショルダーテープ（６）を通す事でショルダーテープ（６）の左右への振れを防ぎ、安定した上下運動を確保する。またショルダーテープ（６）に固定されたショルダーストッパー(１６)の通過を止める役目もあり、ショルダーテープ（６）の上方運動を制限する事でショルダーテープ（６）から繋がる伸縮材（１８）の破断等を防止することができる。
これをより確実にするため前記ゴルフバッグに固定されたショルダースライド止め具（８）はカギフック形状とし、ショルダーストッパー（１６）はそれに対応した環状であってもよい。
【００１９】
前記ポケット（１３）はショルダーテープ（６）を外部からポケット（１３）内へ案内するための貫通孔（２１）を背部に備えている。これはショルダーテープ（６）がスムーズに収納されるようにスリット形状であることが好ましい。
【００２０】
滑り止め素材（２４）を備えたショルダーパッド（７）は、ショルダーテープ（６）に自在に設けられたことを特徴とし伸縮材（１８）の伸縮作用によりショルダーテープ（６）上の重心が移動する場合にも、容易にその重心にショルダーパット（７）を対応できるようにしたものである。これは、本考案において重心に変化を起こし得るショルダーテープ（６）を採用している結果必要不可欠なものであり、ショルダーテープ（６）とショルダーパッド（７）は両者は相互に機能補完して一対のものともいえる。
【００２１】
前記ショルダーテープ・伸縮材接合ジョイント（１７）は横棒（１９−１）及び止め突起（１９−２）を備えており、伸縮材（１８）の材料として一般に市販されているエンドレスゴム管だけではなく、中空の非エンドレスゴム管にも柔軟に対応することができる構成になっている。このことで大幅な製造コスト削減を達成することを可能にした。
また横棒（１９−１）によって形成されるショルダーテープ・伸縮材接合ジョイント（１７）の環状部によりショルダーテープ（６）に沿って自在に設けることができ最下点の変化に対応できるようになっている。止め突起先（１９−３）は緩やかな形状になっており、それは曲面であることが好ましく、止め突起先（１９−３）に非エンドレスゴム管を挿入後横棒（１９−１）に一度絡ませることによって、その取り付けが非常に強固なものになり、エンドレスゴム管に匹敵するものとなっている。
【考案の効果】
【００２２】
本考案のゴルフバッグは、次のような技術的効果がある。
(１)ショルダーベルトが自力収納されるため、前ポケットの開閉をショルダーベルトに邪魔されることもないので、円滑にゴルフボール、グローブ、ティー等を出し入れすることができる。
(２)ゴルファーが収納や、ショルダーベルトの突き出し等に煩わしさを感じることなくプレーに集中できる。
(３)ショルダーベルトが収納部に折り返され収納されるためショルダーベルトの長さの設定が柔軟にでき、実際にとても長くできるとともに、また少ない収納部においても採用することができる。
（４）加工不要なゴム管によって伸縮材を係止することができる伸縮材と本体の接合ジョイントを用いることによって負荷のかかりやすい伸縮材の交換を容易にすると共に、製造コストをさげることができる。
(５)ショルダーベルトが、ゴルフバッグに密着する形態になるので、販売時や立ち形がよいデザインになる。
【考案を実施するための最良の形態】
【００２３】
ショルダーベルトを自力収納するという目的を、一つの動作で、かつゴルフバッグを肩に担いで容易に運べる重量の増加をほとんど感じさせることなく実現した。
以下そのゴルフバッグの実施の一形態を示す添付図面に基づいて説明する。
【実施例１】
【００２４】
図１は、本考案に係るゴルフバッグの実施例１を示し、ゴルフバッグを右斜めから眺めた斜視図である。
このゴルフバッグは、底部（１５）を有する円筒状に形成されたゴルフバッグ本体（１１）と、ゴルフバッグ本体（１１）の前面下部に付設される前ポケット（１３）と、ゴルフバッグ本体（１１）の前面で前ポケット（１３）の上方に付設されたショルダーテープ（６）とを備えている。
前記ゴルフバッグ本体（１１）上部の開口部から本体内部に、縦方向にゴルフクラブが収納される。
前記前ポケット（１３）は、ゴルフバッグ本体（１１）の外側部において、その前面下側位置に付設され、ゴルフボール、グローブ、ティー等が収納される。
また、前記前ポケット（１３）の上方部には、図１に示すように前記ショルダーテープ（６）を挿通する貫通孔（２１）が備えられている。
前記ショルダーテープ（６）は、一端をゴルフバッグ本体（１１）上部の口枠本体（４）にまたぎ（１）、角カン（２）、カシメ（３）、バックル（５）によって係止され、他端は前ポケット（１３）の背部内部に貫通孔（２１）より導かれゴルフバッグ本体（１１）に、伸縮材・本体接合ジョイント（１９）、角カン（２）、伸縮材（１８）により係止される。
ショルダーテープ（６）にはショルダーパッド（７）が自在に設けられている。
ショルダーテープ（６）は貫通孔（２１）に導かれる直前に、スリット状のショルダースライド止め具（８）を貫通している。
【００２５】
図２は、ゴルフバッグのショルダーベルトをほぼ正面から眺めた図であり、伸縮材（１８）は垂直方向に延びた伸縮材縦取付型となっており、作用していない状態である。ショルダーテープ下端（２３）は前ポケット（１３）内のゴルフバッグ本体（１１）にしっかりと係止されておりショルダーテープ（６）の最下点ではショルダーテープ（６）に自在に設けられたショルダーテープ・伸縮材接合ジョイント（７）を介して伸縮材（１８）としてゴム管が取り付けられている。
更にゴム管は下方にて角カン（２）及び伸縮材・本体接合ジョイント（１９）を介してゴルフバッグ本体（１１）に係止されている。
ショルダーテープ下端（２３）からショルダーテープ最下点まではショルダーテープ最下点にてショルダーテープ（６）が折り返されることによって結果的に２倍のショルダーテープ（６）長を確保している。
【００２６】
図３は、図２同様ゴルフバッグのショルダーベルトをほぼ正面から眺めた図である。
まさにショルダーベルトを持って、ゴルフバッグを持ち上げているところであり伸縮材（１８）は最大限作用し、伸びている状態である。
【００２７】
図４は、ショルダーテープ・伸縮材接合ジョイント（１７）の拡大正面図である。
【００２８】
図５は、ショルダーテープ・伸縮材接合ジョイント（１７）を介してショルダーテープとゴム管を連結したショルダーテープ最下点近傍の拡大正面図である。
【００２９】
図６は伸縮材（１８）を構成するゴム管の斜視図である。
【００３０】
図７は、ショルダーテープ・伸縮材接合ジョイント（１７）の止め突起（１９−２）にのみゴム管を挿入した際において、ゴム管の一部が止め突起先（１９−３）によって破断された状態図である。
【００３１】
図８は、ショルダーテープ・伸縮材接合ジョイント（１７）の止め突起（１９−２）にゴム管を挿入し、更にゴム管を横棒（１９−１）に絡ませた状態図である。
この絡ませた状態であることで、強固な結合ができる。
【００３２】
図９は、図２及び図３に対応する伸縮作用を特徴的に表現した伸縮構造説明図である。
【００３３】
図１０は、前ポケット（１３）内に設けられた伸縮材縦取付型の伸縮材（１８）を前ポケット（１３）内部でセパレートするポケット内部・伸縮システムセパレート材（２０）を取り外しまたは取り付ける直前の状態図である。
特にポケット内部・伸縮システムセパレート材（２０）はしっかりと伸縮材（１８）を分離、隔離するように生地に比して硬い素材である樹脂で作られ凸状をしているポケット内部・伸縮システム部樹脂金属式セパレート材（２０−２）となっている。
ゴルフバッグ本体（１１）とポケット内部・伸縮システム部樹脂金属式セパレート材（２０−２）には面ファスナー（２０−５）が取り付けられており、これにより取り外しを自由に行うことができる。
【００３４】
図１１は、前ポケット（１３）内に設けられた伸縮材（１８）を前ポケット（１３）内部でセパレートするポケット内部・伸縮システムセパレート材（２０）によってセパレートされた状態図である。
特にポケット内部・伸縮システムセパレート材（２０）はしっかりと伸縮材（１８）を分離、隔離するように樹脂に比して柔らかい素材である生地で作られているポケット内部・伸縮システム部生地式セパレート材（２０−１）となっている。
開閉のためにファスナー（２０−３）及びスライダー（２０４）が設けられている。
【００３５】
図１２は、ゴルフバッグを肩に担いだ状態図である。ショルダーパット（７）の形状はショルダーテープ下端（２３）側がより広くなっている。
もとより、ショルダーパット（７）は、スライドできる。
【００３６】
図１３は、実施例２を示しており、伸縮材（１８）として水平方向に延びた伸縮材横取付型横式が用いられているゴルフバッグのショルダーベルトの正面図であり、伸縮材（１８）が作用していない状態である。伸縮材（１８）は伸縮材・本体接合ジョイント（１９）を介してその両端部がゴルフバッグ本体（１１）に係止されており、伸縮材（１８）中央近傍においてショルダーテープ・伸縮材接合ジョイント（１７）を介してショルダーテープ（６）に係止されている。
逆「T」字状の結合である。
【００３７】
図１４は、上記図１３におけるゴルフバッグのショルダーベルトの右側面図である。
【００３８】
図１５は、図１３同様伸縮材（１８）として伸縮材横取付型が用いられているゴルフバッグのショルダーベルトの正面図であり、伸縮材（１８）が作用している状態である。
略逆「Y」字状に伸延している。
【００３９】
図１６は、上記図１５におけるゴルフバッグのショルダーベルトの右側面図である。
【００４０】
図１７は、前ポケット（１３）内に設けられた伸縮材横取付型の伸縮材（１８）を前ポケット（１３）内部でセパレートするポケット内部・伸縮システムセパレート材（２０）を取り外しまたは取り付ける直前の状態図である。
特にポケット内部・伸縮システムセパレート材（２０）はしっかりと伸縮材（１８）を分離、隔離するように生地に比して硬い素材である樹脂で作られ凸状をしているポケット内部・伸縮システム部樹脂金属式セパレート材（２０−２）となっている。
ゴルフバッグ本体（１１）とポケット内部・伸縮システム部樹脂金属式セパレート材（２０−２）には面ファスナー（２０−５）が取り付けられておりこれにより取り外しを自由に行うことができる。
【００４１】
図１８は、前ポケット（１３）内に設けられた伸縮材横取付型の伸縮材（１８）を前ポケット（１３）内部でセパレートするポケット内部・伸縮システムセパレート材（２０）によってセパレートされた状態図である。
特にポケット内部・伸縮システムセパレート材（２０）はしっかりと伸縮材（１８）を分離、隔離するように樹脂に比して柔らかい素材である生地で作られているポケット内部・伸縮システム部生地式セパレート材（２０−１）となっている。
開閉のためのファスナー（２０−３）及びスライダー（２０４）が伸縮材（１８）が伸縮材横取付型であることからある程度幅広で、ポケット・ゴルフバッグ本体接合部パイピング（１２）に添って設けられ広く開閉できるようになっている。
【００４２】
図１９は、ゴルフバッグのショルダーベルトをほぼ正面から眺めた図であり、伸縮材（１８）は伸縮材縦取付型となっており、作用していない状態である。ショルダーテープ下端（２３）はすなわちショルダーテープ（６）の最下点となっており、最下点ではショルダーテープ（６）に係止されたショルダーテープ・伸縮材接合ジョイント（７）を介して伸縮材（１８）として加工されたゴム輪が取り付けられている。
更にゴム輪は下方にて伸縮材・本体接合ジョイント（１９）を介してゴルフバッグ本体（１１）に係止されている。
【００４３】
図２０は、上記図１９におけるゴルフバッグのショルダーベルトの右側面図である。
【００４４】
図２１は、図１９同様伸縮材（１８）として伸縮材縦取付型が用いられているゴルフバッグのショルダーベルトの正面図であり、伸縮材（１８）が作用している状態である。
【００４５】
図２２は、上記図２１におけるゴルフバッグのショルダーベルトの右側面図である。
【００４６】
図２３は、基本的なゴルフバッグ本体（１１）に取り付けられたショルダースライド止め具（８）とショルダーテープ（６）に取り付けられたショルダーストッパー（１６）のー部の拡大図であって、ショルダースライド止め具（８）はショルダーテープ（６）の通過できる程度のスリットになっており、ショルダーテープ（６）はスリットの中を貫通している。
【００４７】
図２４は、本体（１１）に取り付けられたショルダースライド止め具（８）とショルダーテープ（６）に取り付けられたショルダーストッパー（１６）の一部拡大図であって、かぎフック式となっている。
ショルダースライド止め具（８）は凸状を持ち、ショルダーストッパー（１６）は凹状を持つ。
【産業上の利用可能性】
【００４８】
本考案は、ゴルフバッグのショルダーベルトを、弾性体に接合することにより、ひとつの動作で容易に自力収納することができるため、ゴルフバッグ類の美感を損なわない新しいバッグの開発をしたものである。
比較的大きくて重量があって肩掛けタイプのバッグや運搬容器のショルダーベルトは、たいてい長いショルダーベルトがあるが、これらのバッグや運搬容器のショルダーベルトには、広く適用できる。
またこれに限らず、小さなバッグや日用品の取手、スポーツ用品の提げ手などにも、利用できる。
【図面の簡単な説明】
【００４９】
【図１】ショルダーベルトがゴルフバッグに自力収納されている状態を示した実施例１の斜視図である（実施例１）。
【図２】伸縮材縦取付型の伸縮材（１８）が設けられたショルダーベルトの全体図である。
【図３】伸縮材縦取付型の伸縮材（１８）が設けられたショルダーベルトの全体使用図である。
【図４】伸縮材（１８）とショルダーテープ（６）の連結具であるショルダーテープ・伸縮材接合ジョイント（１７）拡大図である。
【図５】伸縮材縦取付型の伸縮材（１８）が設けられたショルダーベルトの一部拡大図である。
【図６】伸縮材（１８）として利用されるゴム管である。
【図７】ショルダーテープ・伸縮材接合ジョイント（１７）と、そのの止め突起先（１９−３）に挿入されて、破断しているゴム管の拡大図である。
【図８】ショルダーテープ・伸縮材接合ジョイント（１７）と、そのの横棒（１９−１）に絡まれているゴム管の拡大図である。
【図９】図２及び図３に対応する伸縮構造説明図である。
【図１０】伸縮材縦取付型におけるポケット内部・伸縮システム部樹脂金属式セパレート材（２０−２）の説明図である。
【図１１】伸縮材縦取付型におけるポケット内部・伸縮システム部生地式セパレート材（２０−１）の説明図である。
【図１２】ショルダーパット（７）の説明図である。
【図１３】実施例２を示し、伸縮材横取付型の伸縮材（１８）が設けられた折り返しショルダーベルトの全体正面図である。
【図１４】伸縮材横取付型の伸縮材（１８）が設けられた折り返しショルダーベルトの全体右側面図である。
【図１５】伸縮材横取付型の伸縮材（１８）が設けられた折り返しショルダーベルトの全体使用正面図である。
【図１６】伸縮材横取付型の伸縮材（１８）が設けられた折り返しショルダーベルトの全体使用右側面図である。
【図１７】伸縮材横取付型におけるポケット内部・伸縮システム部樹脂金属式セパレート材（２０−２）の説明図である。
【図１８】伸縮材横取付型におけるポケット内部・伸縮システム部生地式セパレート材（２０−１）の説明図である。
【図１９】伸縮材縦取付型の伸縮材（１８）が設けられたショルダーベルトの全体正面図である。
【図２０】伸縮材縦取付型の伸縮材（１８）が設けられたショルダーベルトの全体右側面図である。
【図２１】伸縮材縦取付型の伸縮材（１８）が設けられたショルダーベルトの全体使用正面図である。
【図２２】伸縮材縦取付型の伸縮材（１８）が設けられたショルダーベルトの全体使用右側面図である。
【図２３】基本的ショルダースライド止め具（８）とショルダーストッパー（１６）の使用説明図である。
【図２４】かぎフック式ショルダースライド止め具（８）とショルダーストッパー（１６）の使用説明図である。
【符号の説明】
【００５０】
１      またぎ
２      角カン
３      カシメ
４      口枠本体
５      バックル
６      ショルダーテープ
７      ショルダーパッド
８      ショルダースライド止め具
９      前立て
１０    ハンドル
１１    ゴルフバッグ本体
１２    ポケット・ゴルフバッグ本体接合部パイピング
１３    ポケット
１４    底巻き
１５    底部
１６    ショルダーストッパー
１７    ショルダーテープ・伸縮材接合ジョイント
１８    伸縮材
１８−１  伸縮材外径
１８−２  伸縮材内径
１８−３  伸縮材破断
１８−４  伸縮材引っ掛け
１９    伸縮材・本体接合ジョイント
１９−１  横棒
１９−２  止め突起
１９−３  止め突起先
２０    ポケット内部・伸縮システム部セパレート材
２０−１  ポケット内部・伸縮システム部生地式セパレート材
２０−２  ポケット内部・伸縮システム部樹脂金属式セパレート材
２０−３  ファスナー
２０４  スライダー
２０−５  面ファスナー
２１    貫通孔
２２    ナスカン
２３    ショルダーテープ下端
２４    滑り止め素材
【図１】
0003104775.tif 000003
【図２】
0003104775.tif 000004
【図３】
0003104775.tif 000005
【図４】
0003104775.tif 000006
【図５】
0003104775.tif 000007
【図６】
0003104775.tif 000008
【図７】
0003104775.tif 000009
【図８】
0003104775.tif 000010
【図９】
0003104775.tif 000011
【図１０】
0003104775.tif 000012
【図１１】
0003104775.tif 000013
【図１２】
0003104775.tif 000014
【図１３】
0003104775.tif 000015
【図１４】
0003104775.tif 000016
【図１５】
0003104775.tif 000017
【図１６】
0003104775.tif 000018
【図１７】
0003104775.tif 000019
【図１８】
0003104775.tif 000020
【図１９】
0003104775.tif 000021
【図２０】
0003104775.tif 000022
【図２１】
0003104775.tif 000023
【図２２】
0003104775.tif 000024
【図２３】
0003104775.tif 000025
【図２４】
0003104775.tif 000026